【事件の表示】
　特許第３３９９５６３号「温度補償水晶発振器」の請求項１、２に係る特許に対する特許異議の申立てについて、次のとおり決定する。
【結　論】
　訂正を認める。
　特許第３３９９５６３号の請求項１ないし２に係る特許を取り消す。
【理　由】
【1】   手続きの経緯
　特許第3399563号の発明に係る出願は、平成4年8月31日に特許出願されたものであって、その発明の特許（請求項の数2）は平成15年2月21日に設定登録され、平成15年4月21日に特許公報が発行され、平成15年10月21日に藤澤正人からその特許（請求項1乃至2）について異議の申立てがなされ、その後、その特許（請求項1乃至2）について期間を指定して平成15年12月10日付で取消しの理由が通知され、その指定期間内である平成16年3月5日に訂正請求がなされたものである。
　
【2】   訂正の適否についての判断
（1）訂正の内容
訂正事項a
　本件の特許請求の範囲の請求頂の『水晶共振子に直列にコンデンサとサーミスタを並列に接続した温度補償回路を接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし、上記水晶共振子に直列に温度補償特性の傾きを補正する温度係数を有する傾き補正コンデンサを接続したことを特徴とする温度補償水晶発振器。』という記載を、『水晶共振子に直列にコンデンサを、かつ該コンデンサとサーミスタを並列に接続した温度補償回路を接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし、上記水晶共振子に山列に温度補償特性の傾きを補正する温度係数を付する傾き補正コンデンサを接続し、該傾き補正コンデンサが．温度の上昇とともに容量の増大する正の温度係数、容量の変化しない零温度係数、及び容量の減少する負の温度係数を有し、補償特性全体の傾きを勘案して選択的に使用できるようにしたことを特徴とする温度補償水晶発振器。』と訂正する。
訂正事項b
　本件明細書の段落【0005】の『【課題を解決するための手段】本発明の請求項1に記載の発明は、水晶共振子に直列にコンデンサとサーミスタを並列に接続した温度補償回路を接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし、上記水晶共振子に直列に温度補償特性の傾きを補正する温度係数を有する傾き補正コンデンサを接続したことを特徴とするものである。さらに請求項2に記載の発明は、請求項1に記載のものにおいて、傾き補正コンデンサは温度補償特性の傾きの補正によって生じる周波数の変位を補償する容量を有することを特徴とするものである。』という記載を、
『【課題を解決するための手段】本発明は、水晶共振子に直列にコンデンサを、かつ該コンデンサとサーミスタを並列に接続した温度補償回路を接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし、上記水晶共振子に直列に温度補償特性の傾きを補正する温度係数を有する傾き補正コンデンサを接続し、該傾き補正コンデンサが温度の上昇とともに容量の増大する正の温度係数、容量の変化しない零温度係数、及び容量の減少する負の温度係数を有し、補償特性全体の傾きを勘案しては選択的に使用できるようにしたことを特徴とするものである。』と訂正する。
　
（2）訂正の要旨
訂正事項ａは「コンデンサ」と「とサーミスタ」の間に「を、かつ該コンデンサ」を挿入し、また、「傾き補正コンデンサを接続し」と「たことを特徴とする」の間に「、該傾き補正コンデンサが．温度の上昇とともに容量の増大する正の温度係数、容量の変化しない零温度係数、及び容量の減少する負の温度係数を有し、補償特性全体の傾きを勘案して選択的に使用できるようにし」を挿入する。
訂正事項ｂは「コンデンサ」と「とサーミスタ」の間に「を、かつ該コンデンサ」を挿入し、また、「傾き補正コンデンサを接続し」と「たことを特徴とする」の間に「、該傾き補正コンデンサが．温度の上昇とともに容量の増大する正の温度係数、容量の変化しない零温度係数、及び容量の減少する負の温度係数を有し、補償特性全体の傾きを勘案して選択的に使用できるようにし」を挿入し、「の請求項1に記載の発明」を削除し、「さらに請求項2に記載の発明は、請求項1に記載のものにおいて、傾き補正コンデンサは温度補償特性の傾きの補正によって生じる周波数の変位を補償する容量を有することを特徴とするものである。」を削除するものである。
　
（3）訂正の目的の適否、新規事項の有無及び拡張・変更の存否
（3−1）訂正事項aについて
上記訂正事項aについては、本件明細書の特許請求の範囲を減縮するものである。
　そして、この減縮は、本件の出願当初の願書に添付した明細書の段落【0006】〜【0008】ならびに図2から図4の、とくに第6欄第6行目から第17行目の、記載を根拠とするものである。
　したがって、この訂正は、特許法第120条の4第2項ただし書き第1号に規定する特許請求の範囲の減縮に相当するものである。また、上記訂正事項aは、本件願書に最初に添付した明細書又は図面に記載した事項の範囲内の訂正であり、かつ実質上特許請求の範囲を拡張又は変更するものでもない。
（3−2）訂正事項bについて
上記訂正事項bについては、上記訂正事項aで訂正請求した「特許請求の範囲」の請求項1との整合を図るためになされたものである。したがって、この訂正は、特許法第120条の4第2項ただし書き第3号に規定する明りょうでない記載の釈明に相当し、かつ、出願当初の願書に添付した明細書又は図面に記載した事項の範囲内の訂正であり、また、特許請求の範囲を拡張し又は変更するものでもない。
　
（4）以上のとおり、上記訂正は、特許法第120条の4第2項及び第3項において準用する第126条第2項及び第3項の規定に適合するので、当該訂正を認める。
　
　
【3】   特許異議の申立てについての判断
（1）本件発明
　上記【2】 のとおり訂正が認められるから、本件請求項1乃至2に係る発明（以下、「本件発明1」、「本件発明2」という。）は上記訂正に係る訂正明細書の特許請求の範囲の請求項1ないし2に記載された以下のとおりのものである。
「【請求項1】水晶共振子に直列にコンデンサを、かつ該コンデンサとサーミスタを並列に接続した温度補償回路を接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし、
上記水晶共振子に直列に温度補償特性の傾きを補正する温度係数を有する傾き補正コンデンサを接続し、該傾き補正コンデンサが、温度の上昇とともに容量の増大する正の温度係数、容量の変化しない零温度係数、及び容量の減少する負の温度係数を有し、補償特性全体の傾きを勘案して選択的に使用できるようにしたことを特徴とする温度補償水晶発振器。
【請求項2】請求項1に記載のものにおいて、傾き補正コンデンサは温度補償特性の傾きの補正によって生じる周波数の変位を補償する容量を有することを特徴とする温度補償水晶発振器。」
　
（2）引用刊行物に記載された発明
　当審が平成15年12月10日付で通知した取消しの理由で引用した刊行物1（実願昭58-10287号（実開昭59-118307号）のマイクロフィルム）、刊行物2（実願昭59-165049号（実開昭61-81208号）のマイクロフィルム）には、以下のことが記載されている。
（2−1）刊行物1
（イ）第2図に基本的な発振回路構成を示す。1は温度補償用コンデンサを示す。（3頁12〜13行、第2図）
（ロ）第6図に三次係数が支配的な圧電振動子の補償前の温度特性1と温度補償用負荷コンデンサによる補償量2、補償後の発振周波数ー温度特性3を示す。（4頁1〜4行、第6図）
（ハ）回路構成としては、第7図に示すような周波数調整用トリマコンデンサ1に上記の温度特性を持たせる方式や、第8図に示す如くゲート側の負荷コンデンサ3をＩＣ中に内蔵しドレイン側の負荷コンデンサとして、温度補償用固定コンデンサ2と周波数調整用トリマコンデンサ1を並列接続する構成が考えられる。（4頁12〜18行、第7図、第8図）
（ニ）この場合圧電振動子2を第3図に示すような1の一次温度係数あるいは2の三次温度係数、3の四次温度係数が支配なものとすると効果がおおきい。（3頁13〜16行、第3図）
（ホ）この場合用いる温度補償用負荷コンデンサは第5図に示す如きN−タイプを必要とする。（4頁4〜6行、第5図）
（2−2）刊行物2
（ヘ）水晶に直列に接続されているコンデンサＣ1とＣＶは周波数の微調整用のコンデンサである。（2頁19行〜3頁1行）
（ト）低温用補償回路は、温度補償用コンデンサＣ11と並列に感温素子ＴＨ11と抵抗Ｒ11が並列に接続され、かつコンデンサＣ12が直列に接続されている。（4頁10〜13行、第2図）
（チ）また高温補償回路は、温度補償用コンデンサＣ11と並列に感温素子ＴＨ12と抵抗Ｒ12が直列に接続されている。（4頁13〜15行、第2図）
（リ）第2図は、本考案の他の実施例であり、低温補償回路Ｅと高温補償回路Ｆであり、第1図にあった低温補償回路ＣのコンデンサＣ12を使用しない例である。（5頁19行〜6頁2行、第2図）
　
（3）対比・判断
（3−1）本件発明1について、本件発明1と刊行物2に記載された発明とを比べると、刊行物2の「水晶振動子」は本件発明の1の「水晶共振子」に相当し、本件発明1に記載された「水晶共振子に直列にコンデンサを、かつ該コンデンサとサーミスタを並列に接続した温度補償回路を接続して」は「コンデンサとサーミスタを並列に接続した温度補償回路を水晶共振子に直列に接続して」という意味と認められるから、両者は、
「コンデンサとサーミスタを並列に接続した温度補償回路を水晶共振子に直列に接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし温度補償水晶発振器」である点で一致し、次の点で相違する。
（Ｉ）本件発明1が、さらに温度補償手段として、水晶共振子に直列に傾き補正コンデンサを接続し、該傾き補正コンデンサが、温度の上昇とともに容量の増大する正の温度係数、容量の変化しない零温度係数、及び容量の減少する負の温度係数を有し、補償特性全体の傾きを勘案して選択的に使用するのに対して、刊行物2に記載された発明はそうしていない点、で相違する。
　次に、この相違点（Ｉ）について検討する。
刊行物1には、水晶振動子（水晶共振子）に直列に傾き補正コンデンサを接続して温度補償を行うこと、温度補償用コンデンサに種々の温度係数のもの、N−タイプのもの等があり、第6図示される特性（補償前の1）には第5図に示されるN−タイプのものを必要とすることが記載されていて、温度補償前後の特性を考慮して傾き補正コンデンサを選択することが示唆されており、温度補償手段として、水晶共振子に直列に傾き補正コンデンサを接続し、温度の上昇とともに容量の増大する正の温度係数、容量の変化しない零温度係数、及び容量の減少する負の温度係数を有し、補償特性全体の傾きを勘案して選択的に使用することは、当業者が効果的な温度補償を考慮して適宜なしうることと認められる。
（3−2）本件発明2について、本件発明2と刊行物2に記載された発明とを比べると、刊行物2の「水晶振動子」は本件発明の2の「水晶共振子」に相当し、本件発明2に記載された「水晶共振子に直列にコンデンサを、かつ該コンデンサとサーミスタを並列に接続した温度補償回路を接続して」は「コンデンサとサーミスタを並列に接続した温度補償回路を水晶共振子に直列に接続して」という意味と認められるから、両者は、
「コンデンサとサーミスタを並列に接続した温度補償回路を水晶共振子に直列に接続して水晶共振子の負荷容量を制御して常温よりも高温度域側を補償する高温領域補償回路および低温度域側を補償する低温領域補償回路によって各別に温度補償を行うものにおいて、1個のコンデンサに高温用サーミスタを並列に接続して高温領域補償回路とし、このコンデンサに低温用サーミスタを並列に接続して低温領域補償回路とし温度補償水晶発振器」である点で一致し、次の点で相違する。
（II）本件発明2が、さらに温度補償手段として、水晶共振子に直列に傾き補正コンデンサを接続し、該傾き補正コンデンサが、温度の上昇とともに容量の増大する正の温度係数、容量の変化しない零温度係数、及び容量の減少する負の温度係数を有し、補償特性全体の傾きを勘案して選択的に使用するのに対して、刊行物2に記載された発明はそうしていない点、
（III）本件発明2が、温度補償特性の傾きの補正によって生じる周波数の変位を補償する容量を有する傾き補正コンデンサを有するのに対して、刊行物2に記載された発明は有していない点、で相違する。
　次に、この相違点について検討する。
（ａ）相違点（II）について、相違点（II）は上記（3−1）の相違点（Ｉ）と同じであるから、上記（3−1）で示したと同じ理由により、当業者が適宜なしうるものと認められる。
（ｂ）相違点（III）ついて、刊行物1には傾き補正コンデンサを用いて水晶振動子（水晶共振子）の温度補償を行うことが記載されているから、温度補償を行うに足る容量を持ったコンデンサとすることに格別困難性を要しないものと認められる。
　
（4）むすび
　以上のとおりであって、本件請求の範囲の請求項1及び2に係る発明は、取消理由で引用した刊行物1及び2に記載された発明に基づいて当業者が容易に発明をすることができたものであるのから、当該請求項1及び2に係る発明についての特許は何れも、特許法第29条第2項の規定に違反してなされたものであり、同法第113条第2号に該当し、取り消されるべきものである。
　よって、結論のとおり決定する。
【異議決定日】
平成１６年３月１１日（２００４．３．１１）
【訂正の要旨】
審決（決定）の【理由】欄参照。
（５４）【発明の名称】
温度補償水晶発振器
（５７）【特許請求の範囲】
　【請求項１】水晶共振子に直列にコンデンサ
を、かつ該コンデンサ
、該傾き補正コンデンサが、温度の上昇とともに容量の増大する正の温度係数、容量の変化しない零温度係数、及び容量の減少する負の温度係数を有し、補償特性全体の傾きを勘案して選択的に使用できるようにし
　【請求項２】請求項１に記載のものにおいて、傾き補正コンデンサは温度補償特性の傾きの補正によって生じる周波数の変位を補償する容量を有することを特徴とする温度補償水晶発振器。
【発明の詳細な説明】
　【０００１】
　【産業上の利用分野】本発明は、簡単な構成で高精度の温度補償を行うことができる温度補償水晶発振器に関する。
　【０００２】
　【従来の技術】従来、時間、周波数等の基準として圧電体の圧電現象を利用した圧電共振子が多用されている。このような圧電共振子に用いる圧電体としては種々の物質が知られている。このような圧電体の１つである水晶を用いた水晶共振子は、水晶の化学的、物理的に極めて優れた特性に加えて製造技術の進歩により安価で良好な共振特性を得られるために種々の電子機器に広く使用されている。さらに近時、このような水晶共振子を用いる電子機器では小形、軽量かつ高信頼性を要求されるために水晶共振子と発振回路とを一体に組み立てた水晶発振器も大量に製造され使用されている。このような水晶発振器では水晶共振子と発振回路とを一体に組み立てて発振周波数を正確に調整し、化学的、物理的に極力安定な状態で気密に封止するようにしているので長期間、高い周波数精度を維持することができる。ところでこのような水晶発振器の周波数精度は一般に水晶振動子の温度特性に依存する。たとえば数ＭＨｚないし十数ＭＨｚの周波数帯で最も多用されているＡＴカットの厚み滑り水晶振動子の場合、図４に示すように−３０℃ないし８０℃の温度変化に対して±２５ｐｐｍ程度の周波数の変化を生じる。このため、最近の電子機器の高機能、高精度化とともに、このような機器に用いる水晶発振器の周波数精度もさらに安定なことを要求されている。このような温度補償水晶発振器の代表的なものとしては間接補償方式と直接補償方式のものがある。
　【０００３】間接補償方式のものは、たとえば図５に示すブロック図のように発振回路１に接続した水晶振動子２に直列にバリキャップダイオード３を接続し、このバリキャップダイオード３に制御電圧発生回路４から温度に応じた制御電圧Ｖｃを印加してバリキャップダイオード３の静電容量を制御して、温度変化による発振周波数の変動を打ち消すようにしたものである。しかしながらこのようなものでは、比較的感度の高いバリキャップダイオード３を必要とし、また制御電圧発生回路４の電源電圧を入力電圧の変動に対して充分に安定化しておく必要があり構成が複雑になる問題がある。また直接補償方式のものでは、たとえば図６に示すように発振回路１１に接続した水晶振動子１２に直列に高温部補償回路１３および低温部補償回路１４を接続するようにしている。この高温部補償回路１３はコンデンサ１３ａとサーミスタ１３ｂとを並列に接続したものである。そして高温部補償回路１３は常温よりも高い、たとえば５０℃以上の温度で温度の上昇とともにサーミスタ１３ｂの抵抗値を減少させることによって該補償回路１３の等価直列容量を増大させて発振周波数を低くするように作用する。また低温部補償回路１４もコンデンサ１４ａとサーミスタ１４ｂとを並列に接続している。そして低温部補償回路１４は常温よりも低い、たとえば０℃以下の温度で温度の低下とともにサーミスタ１４ｂの抵抗値を増大させることによって該補償回路１４の等価直列容量を減少させて発振周波数を高くするように作用する。すなわち温度変化によるサーミスタ１３ｂ、１４ｂの抵抗値の変化によって、それぞれの補償回路１３、１４の等価直列容量を変化させることにより、水晶振動子１２の負荷容量を制御して温度補償を行うものである。このような直接補償方式のものは回路構成も比較的簡単であり、部品点数も少ないために形状も小型化することができる優れた温度補償方式である。しかしながらこのような温度補償回路の場合、温度補償特性の精度をあまり高くすることはできない。たとえば水晶振動子単体の温度特性を測定して、数学的な計算によって温度補償回路の各電子部品の定数を計算し、この結果に基づいて補償回路を組み立てても、個々の水晶振動子毎の温度特性のバラツキが大きく、さらに実際の電子部品にはそれぞれに誤差があり理想的な補償特性は得難い。このため、たとえば特に選別していない水晶振動子および一般に市販されている電子部品の電気的な定数のばらつきを容認した場合、補償精度は±２ｐｐｍ程度になってしまう。したがってより高精度の温度補償を行うためには、個々の発振器ごとに回路素子を交換して最適な値を見いだしたり、予め一定の範囲の定数毎に選別した電子部品を使用する必要があり工数が増大しコストも上昇する問題があった。
　【０００４】
　【発明が解決しようとする課題】本発明は上記の事情に鑑みてなされたもので、簡単な構成で高精度の温度補償を行うことができる温度補償水晶発振器を提供することを目的とするものである。
　【０００５】
　【課題を解決するための手段】本発明の請求項１に記載の発明は、水晶共振子に直列にコンデンサを
、かつ該コンデンサ
、該傾き補正コンデンサが、温度の上昇とともに容量の増大する正の温度係数、容量の変化しない零温度係数、及び容量の減少する負の温度係数を有し、補償特性全体の傾きを勘案して選択的に使用できるようにし
　【０００６】
　【実施例】以下、本発明の一実施例の水晶発振器を図１に示すブロック図を参照して詳細に説明する。図中２１は発振回路であって、個別部品あるいは半導体集積回路等をもって構成している。そして２２は水晶共振子であって、水晶の結晶を結晶軸に対して所定の角度に切断して板状に成形し板面に電極を形成した、たとえばＡＴカットの厚み滑り水晶共振子である。そして２３は高温部補償回路でコンデンサ２３ａにサーミスタ２３ｂを並列に接続して、常温以上のたとえば５０℃以上の温度になるとサーミスタ２３ｂの抵抗値を増大させて該補償回路の等価直列容量を増大させて発振回路の発振周波数を低くするように温度補償を行うものである。そして２４は低温部補償回路でコンデンサ２４ａにサーミスタ２４ｂを並列に接続して、常温以下のたとえば０℃以下の低温域では温度の低下とともにサーミスタ２４ｂの抵抗値を次第に減少させて該補償回路の等価直列容量を減少させて発振回路の発振周波数を高くするように温度補償を行うものである。しかしてこのような温度補償回路を一般的に市販されている電子部品を使用して構成した場合、たとえば±４ｐｐｍ程度の補償精度となる。ところでこのような補償特性について検討すると、代表的な特性は低温部および高温部について図２に示すように分類することができる。すなわち低温部については補償量が不足している貧補償（図示Ａ）、適正な補償量である適正補償（図示Ｂ）、補償量が過分である過補償（図示Ｃ）の状態がある。また高温部についても、補償量が不足している貧補償（図示Ｄ）、適正な補償量である適正補償（図示Ｅ）、補償量が過分である過補償（図示Ｆ）の状態がある。しかして高温部補償回路２３および低温部補償回路２４の補償特性は互いに独立に設定することができる。したがって低温から高温まで、たとえば−３０℃から８０℃までの補償特性の代表例は図２に示すように低温部、高温部それぞれ３種類の補償特性があり、全体としてはこれらを組み合わせた９通りの態様がある。そして２５は上記水晶共振器２２に直列に接続され補償特性全体の傾きを補正する温度係数を有する傾き補正コンデンサである。この傾き補正コンデンサ２５は、たとえばセラミックコンデンサであって温度の上昇とともに容量の増大する正の温度係数で、かつ温度係数の比較的大きな「＋＋温系」のもの、温度係数の比較的小さな「＋温系」のもの、容量の変化しない零温度係数の「０温系」のものおよび容量の減少する負の温度係数で、かつ温度係数の比較的大きな「−−温系」のもの、温度係数の比較的小さな「−温系」のものを補償特性全体の傾きを勘案して選択的に使用する。すなわち、低温部、高温部、それぞれの補償特性の傾向に対応して次の表１に示すような温度係数の傾き補正コンデンサ２５を使用すればよい。
なおこのように温度補償特性の傾きを補正したことによって発振周波数に変位を生じる場合は、傾き補正コンデンサ２５の容量を増減することによって発振周波数を目的とする周波数に正確に合わせ込むことができる。なおこのような発振周波数の合わせ込みは、傾き補正コンデンサ２５の容量を増減して行ってもよいし、発振周波数を調整するために専用の半固定コンデンサを設けて調整するようにしてもよい。
　【０００７】このような構成であれば、発振回路に用いる水晶振動子の温度特性および温度補償回路の電子部品の定数のバラツキ等によって生じる図２に示すような温度補償特性の態様に応じて傾き補正コンデンサ２５によって、たとえば表１に示すように補償特性全体の傾きを補正するようにしている。したがって、たとえば温度補償特性の傾きを補正しない状態で最大±２ｐｐｍの補償精度となる場合、補償特性全体の傾きを補正することによって容易に±１ｐｐｍ以上の補償精度を得ることができる。したがって電気的な定数の精度の高い高価な電子部品を用いることなく高精度の温度補償を行うことができ、また定数の精度の高い電子部品を用いればより高精度の温度補償を行うことができる。
　【０００８】したがって、傾き補正コンデンサに温度補償特性の傾きを打ち消し、温度の変化に対して一定の発振周波数を維持することができる温度係数のものを用いることによって、簡単な構成で補償精度を著しく向上することができ温度の変化に係わらず発振周波数の安定な高精度の温度補償水晶発振器を得ることができる。なお本発明は上記実施例に限定されるものではなく、たとえば温度補償回路は図３に示すように１個のコンデンサ２６に低温用サーミスタ２７、高温用サーミスタ２８を並列に接続して温度補償を行うようにしてもよい。この場合、低温用サーミスタ２７は低温域において抵抗値を増大させて温度補償回路の等価直列容量を減少させて発振周波数を高くするように作用する。なおこの場合高温用サーミスタ１８は一定の抵抗値を維持する。また高温用サーミスタ２８は高温域において抵抗値を減少させて温度補償回路の等価直列容量を増大させて発振周波数を低くするように作用する。なおこの場合低温用のサーミスタ２７は一定の抵抗値を維持する。なおこの場合も、水晶振動子２２に直列に傾き補正コンデンサ２５を接続して補償特性全体の傾きを補正することは勿論である。
　【発明の効果】以上詳述したように、本発明によれば簡単な構成で高精度の温度補償を行うことができコストも安価で小型化に適する温度補償水晶発振器を提供することができる。
　【０００９】
【図面の簡単な説明】
　【図１】本発明の温度補償水晶発振器の一例を示すブロック図である。
　【図２】本発明の温度補償を説明する補償特性の図である。
　【図３】本発明の温度補償水晶発振器の他の実施例を示すブロック図である。
　【図４】ＡＴカットの水晶振動子の温度特性を示す図である。
　【図５】従来の間接補償方式の水晶発振器を示すブロック図である。
　【図６】従来の直接補償方式の水晶発振器を示すブロック図である。
　【符号の説明】
　２１　発振回路
　２２　水晶振動子
　２３　高温部補償回路
　２３ａ、２４ａ　コンデンサ
　２３ｂ、２４ｂ　サーミスタ
　２４　低温部補償回路
　２５　傾き補正コンデンサ